【手続補正書】
【提出日】平成16年9月7日(2004.9.7)
【手続補正１】
【補正対象書類名】明細書
【補正対象項目名】特許請求の範囲
【補正方法】変更
【補正の内容】
【特許請求の範囲】
【請求項１】
複数の装置相互間で情報の通信を行う場合に適用される通信制御システムにおいて、複数の装置相互間での情報の通信に通信障害が発生した場合に、情報を受信する側の装置の重複処理を防止する機能を有することを特徴とする通信制御システム。
【請求項２】
複数の装置相互間で情報の通信を行う場合に適用される通信制御システムにおいて、複数の装置相互間での情報の通信に通信障害が発生した場合に、情報を送信する側の装置から通信障害発生直前の情報と同一の情報を再送信する機能を有することを特徴とする通信制御システム。
【請求項３】
二つの装置のうち、一方の装置から他方の装置へ命令情報を送り、他方の装置にて命令情報に応じた処理を行い応答情報を一方の装置へ返信する通信制御システムにおいて、一方の装置側で通信障害を検出したのに基づき、この一方の装置は他方の装置に向けて通信障害発生直前の命令情報と同一の命令情報を再送信する機能を有することを特徴とする通信制御システム。
【請求項４】
二つの装置のうち、一方の装置から他方の装置へ命令情報を送り、他方の装置にて命令情報に応じた処理を行い応答情報を一方の装置へ返信する通信制御システムにおいて、一方の装置側で通信障害を検出したのに基づき、この一方の装置は他方の装置に向けて通信障害発生直前の命令情報と同一の命令情報を再送信し、他方の装置は一方の装置からの命令情報の到達を待って命令情報に応じた処理を行った後応答情報を一方の装置へ返信する機能を有することを特徴とする通信制御システム。
【請求項５】
二つの装置のうち、一方の装置から他方の装置へ命令情報を送り、他方の装置にて命令情報に応じた処理を行った後応答情報を一方の装置へ返信する通信制御システムにおいて、一方の装置側で命令情報を他方の装置に送信し他方の装置が命令情報に応じた処理を行った後に、前記一方の装置が他方の装置からの応答情報が正常に届かない通信障害を検出したのに基づき、この一方の装置は他方の装置に向けて通信障害発生直前の命令情報と同一の命令情報を再送信し、他方の装置は先に送信された一方の装置からの命令情報に基づく処理と同一の処理を行うことなく応答情報のみを一方の装置に返信する機能を有することを特徴とする通信制御システム。
【請求項６】
二つの装置のうち、一方の装置から他方の装置へ金銭情報の書き込みを意味する命令情報を送り、他方の装置にて前記命令情報に応じた金銭情報の書き込み処理を行った後応答情報を一方の装置へ返信する通信制御システムにおいて、一方の装置側で前記命令情報を他方の装置に送信し、他方の装置が前記命令情報に応じた金銭情報の書き込み処理を行った後に、前記一方の装置が他方の装置からの応答情報が正常に届かない通信障害を検出したのに基づき、この一方の装置は他方の装置に向けて通信障害発生直前の前記命令情報と同一の命令情報を再送信し、他方の装置は先に送信された一方の装置からの前記命令情報に基づく書き込み処理と同一の処理を行うことなく応答情報のみを一方の装置に返信する機能を有することを特徴とする通信制御システム。
【手続補正２】
【補正対象書類名】明細書
【補正対象項目名】０００９
【補正方法】削除
【補正の内容】
【手続補正３】
【補正対象書類名】明細書
【補正対象項目名】００１０
【補正方法】削除
【補正の内容】
【手続補正４】
【補正対象書類名】明細書
【補正対象項目名】００１１
【補正方法】削除
【補正の内容】
【手続補正５】
【補正対象書類名】明細書
【補正対象項目名】００１２
【補正方法】削除
【補正の内容】
【手続補正６】
【補正対象書類名】明細書
【補正対象項目名】００１３
【補正方法】変更
【補正の内容】
【００１３】
請求項３記載の発明は、二つの装置のうち、一方の装置から他方の装置へ命令情報を送り、他方の装置にて命令情報に応じた処理を行い応答情報を一方の装置へ返信する通信制御システムにおいて、一方の装置側で通信障害を検出したのに基づき、この一方の装置は他方の装置に向けて通信障害発生直前の命令情報と同一の命令情報を再送信する機能を有することを特徴とするものである。
【手続補正７】
【補正対象書類名】明細書
【補正対象項目名】００１５
【補正方法】変更
【補正の内容】
【００１５】
請求項４記載の発明は、二つの装置のうち、一方の装置から他方の装置へ命令情報を送り、他方の装置にて命令情報に応じた処理を行い応答情報を一方の装置へ返信する通信制御システムにおいて、一方の装置側で通信障害を検出したのに基づき、この一方の装置は他方の装置に向けて通信障害発生直前の命令情報と同一の命令情報を再送信し、他方の装置は一方の装置からの命令情報の到達を待って命令情報に応じた処理を行った後応答情報を一方の装置へ返信する機能を有することを特徴とするものである。
【手続補正８】
【補正対象書類名】明細書
【補正対象項目名】００１７
【補正方法】変更
【補正の内容】
【００１７】
請求項５記載の発明は、二つの装置のうち、一方の装置から他方の装置へ命令情報を送り、他方の装置にて命令情報に応じた処理を行った後応答情報を一方の装置へ返信する通信制御システムにおいて、一方の装置側で命令情報を他方の装置に送信し他方の装置が命令情報に応じた処理を行った後に、前記一方の装置が他方の装置からの応答情報が正常に届かない通信障害を検出したのに基づき、この一方の装置は他方の装置に向けて通信障害発生直前の命令情報と同一の命令情報を再送信し、他方の装置は先に送信された一方の装置からの命令情報に基づく処理と同一の処理を行うことなく応答情報のみを一方の装置に返信する機能を有することを特徴とするものである。
【手続補正９】
【補正対象書類名】明細書
【補正対象項目名】００１９
【補正方法】変更
【補正の内容】
【００１９】
請求項６記載の発明は、二つの装置のうち、一方の装置から他方の装置へ金銭情報の書き込みを意味する命令情報を送り、他方の装置にて前記命令情報に応じた金銭情報の書き込み処理を行った後応答情報を一方の装置へ返信する通信制御システムにおいて、一方の装置側で前記命令情報を他方の装置に送信し、他方の装置が前記命令情報に応じた金銭情報の書き込み処理を行った後に、前記一方の装置が他方の装置からの応答情報が正常に届かない通信障害を検出したのに基づき、この一方の装置は他方の装置に向けて通信障害発生直前の前記命令情報と同一の命令情報を再送信し、他方の装置は先に送信された一方の装置からの前記命令情報に基づく金銭情報の書き込み処理と同一の処理を行うことなく応答情報のみを一方の装置に返信する機能を有することを特徴とするものである。
【手続補正１０】
【補正対象書類名】明細書
【補正対象項目名】００５０
【補正方法】削除
【補正の内容】
【手続補正１１】
【補正対象書類名】明細書
【補正対象項目名】００５１
【補正方法】削除
【補正の内容】
【手続補正１２】
【補正対象書類名】明細書
【補正対象項目名】００５２
【補正方法】変更
【補正の内容】
【００５２】
請求項３記載の発明によれば、通信障害発生の前後において、送信する側の装置から受信する装置への各種命令情報の伝達の確実性を図ることができる通信制御システムを提供することができる。
【手続補正１３】
【補正対象書類名】明細書
【補正対象項目名】００５３
【補正方法】変更
【補正の内容】
【００５３】
請求項４記載の発明によれば、他方の装置において必ず一方の装置からの命令情報の到達後に当該命令情報に応じた処理が行われることになり、一方の装置から他方の装置への命令情報の伝達の確実性を図ることができ、かつ、他方の装置におけるデータ等の処理の確実性を図ることができる通信制御システムを提供することができる。
【手続補正１４】
【補正対象書類名】明細書
【補正対象項目名】００５４
【補正方法】変更
【補正の内容】
【００５４】
請求項５記載の発明によれば、他方の装置において、同一の命令情報に基づく重複した処理が実行されることを防止することができる通信制御システムを提供することができる。
【手続補正１５】
【補正対象書類名】明細書
【補正対象項目名】００５５
【補正方法】変更
【補正の内容】
【００５５】
請求項６記載の発明によれば、他方の装置において、同一の命令情報に基づく金銭情報の重複した書き込み処理が実行されることを防止することができ、金銭情報の誤った処理が実行されることがない通信制御システムを提供することができる。